(57)【要約】【課題】使用者が再生中の記録媒体を新たな別の記録媒体に取り替えるときに無再生状態が発生しないようにする記録媒体再生装置を提供する。【解決手段】コンテンツ情報のうち再生予定の情報をメモリ手段７に格納し終えると、記録媒体Ｄｉｓｋの交換に備え読み取り手段２を停止させ、記録媒体Ｄｉｓｋの交換を行っている最中も信号処理手段４によりメモリ手段７に格納されているコンテンツ情報を伸長して再生を継続し、メモリ手段７のコンテンツ情報の再生が終了する前に、新たな記録媒体Ｄｉｓｋが装着されたときには引き続き記録媒体から再生に必要な情報をメモリ手段７に格納し、再生を行うことのできる制御手段を有している記録媒体再生装置Ａ。【選択図】      図３
2004259310.tif 000002
【特許請求の範囲】
【請求項１】
記録媒体に圧縮されて記録されているコンテンツ情報及びＴＯＣ情報を読み出す読み取り手段と、
前記読み取り手段にて読み出された再生予定の前記コンテンツ情報を格納するためのメモリ手段と、
前記ＴＯＣ情報より再生予定のコンテンツ情報の再生終了までの時間を検出する再生終了検出手段と、
前記再生終了検出手段にて検出された再生終了までの時間を表示する残時間表示手段と、
前記メモリ手段に格納された前記コンテンツ情報を伸長する信号処理手段と、
前記記録媒体の交換を検出するための記録媒体交換検出手段と、
前記コンテンツ情報のうち再生予定の情報を前記メモリ手段に格納し終えると、前記記録媒体の交換に備え読み取り手段を停止させ、記録媒体の交換を行っている最中も前記信号処理手段により前記メモリ手段に格納されているコンテンツ情報を伸長して再生を継続し、該メモリ手段のコンテンツ情報の再生が終了する前に、新たな記録媒体が装着されたときには引き続き該記録媒体から再生に必要な情報を前記メモリ手段に格納し、再生を行うことのできる制御手段と、を有していることを特徴とする記録媒体再生装置。
【請求項２】
前記記録媒体のコンテンツ情報のうち再生予定の情報を前記メモリ手段に格納し終えると、該メモリ手段に格納し終えたことを知らせるための警告手段を備えた請求項１に記載の記録媒体再生装置。
【請求項３】
前記警告手段は、前記メモリ手段に格納すべきコンテンツ情報を格納し終えたことを光及び音声のうち少なくとも一方にて知らせるものである請求項２に記載の記録媒体再生装置。
【請求項４】
前記記録媒体のコンテンツ情報のうち再生予定の情報を前記メモリ手段に格納し終えた後、新たな記録媒体の再生に備えて、前記読み取り手段を初期状態に戻す請求項１、２又は３いずれかに記載の記録媒体再生装置。
【請求項５】
前記制御手段は、前記記録媒体に記録されているコンテンツ情報のうち再生予定の情報の前記メモリ手段への格納が終了していない状態で該記録媒体が交換されるとき、予め設定された再生時間又は前記メモリ手段に残っている前記コンテンツ情報の残再生時間のうちいずれか短い方の再生が終了した後に、新たに装着された記録媒体の再生を行う請求項１に記載の記録媒体再生装置。
【請求項６】
前記制御手段は、前記記録媒体に記録されているコンテンツ情報のうち再生予定の情報の前記メモリ手段への格納が終了していない状態で該記録媒体が取り出され、その後、新たに記録媒体が装着されていない状態のときに、前記メモリ手段に格納されたコンテンツ情報の残量分を再生し終えた後、動作を終了する請求項１に記載の記録媒体再生装置。
【請求項７】
前記制御手段は、前記コンテンツ情報の残量分が現在再生中のトラックの終わりまである場合、該トラックの最後まで再生した後に動作を終了する請求項６に記載の記録媒体再生装置。
【発明の詳細な説明】
【０００１】
【発明の属する技術分野】
本発明は、ディスクに記録された音声、音楽、映像等のデータの情報信号を再生するディスク再生装置に関するものである。
【０００２】
【従来の技術】
従来の記録媒体再生装置としてミニディスク再生装置（以下、ＭＤ再生装置という）を例に挙げて説明を行う。前記ＭＤ再生装置は、記録媒体であるミニディスク（以下、単にディスクという）に、デジタル記録された音声／音楽データの情報信号を再生するオーディオ機器である。前記ＭＤ再生装置は、前記ディスクを回転させるためのスピンドルモータと、前記ディスクに記録されている情報信号を読み取るためのピックアップと、前記ＭＤ再生装置の動作を制御する制御装置とを有している。
【０００３】
前記ディスクにデジタル記録されている前記情報信号には時間軸圧縮が施されている。そのため、前記ＭＤ再生装置は、内蔵された信号処理手段にて前記ディスクから読み出された情報信号を時間軸伸長した後にデジタル／アナログ変換することで、録音時の音声／音楽データを再生する。
【０００４】
前記ＭＤ再生装置では、前記ピックアップのデータ読み取り速度と、信号処理手段の時間伸長し再生されるデータの送り出し速度は異なり、それを補うために、ディスクから読み取った時間圧縮されたままの音声／音楽データをメモリ手段である半導体メモリに一時的に格納する。このとき、半導体メモリには常に所定量以上のデータが格納されているようにしている。こうすることによって、前記ＭＤ再生装置本体に振動等の外乱が印加されて前記ピックアップが現在読み取り中の音声／音楽データが記録されているトラックより外れた場合でも、前記半導体メモリ内に格納されているデータを前記信号処理手段にて時間軸伸長して再生することができる。また、前記半導体メモリ内に格納されているデータがなくなる前に、前記ピックアップを正しいトラックに戻すことで、音声又は音楽を途切れることなく再生することができる。
【０００５】
このような半導体メモリは、ショック・プルーフ・メモリと言われ、携帯用ＭＤ再生装置の場合１６ＭｂｉｔのＤ−ＲＡＭが一般的に使用されている。このショック・プルーフ・メモリは通常再生中には、その容量の一部が該メモリのデータ入出力のデータ転送速度の違いを吸収するＷＯＲＫ−ＲＡＭとして働き、残りのうちの一部が再生しているディスクの収録曲の時間や曲の頭の位置などの情報を記録したＵ−ＴＯＣ情報等の情報を格納し、さらに残りが、ショック・プルーフ・メモリとして利用されている。
【０００６】
例えば、前記ＭＤ再生装置においては、ディスクの回転速度が１倍速の場合、１．４Ｍｂｉｔ／秒の速度で、ディスクのメイン情報である音声／音楽データを該ディスクから読み出すことができる。また、前記信号処理手段にて時間軸圧縮されたデータを０．３Ｍｂｉｔ／秒の速度で時間軸伸長することができる。このとき、このＭＤ再生装置は、ピックアップのデータ読み取り速度と、読み取ったデータの時間軸伸長速度との差を補うために、ディスクより読み取った時間軸圧縮されたままのデータを、一時、Ｄ−ＲＡＭ等の半導体メモリに格納しておき、そこから、０．３Ｍｂｉｔ／秒の速度にてデータを時間軸伸長して再生するようになっている。
【０００７】
すなわち、上記ショック・プルーフ・メモリが１６ＭｂｉｔのＤ−ＲＡＭで、ディスクの回転速度が１．５倍速の場合、ディスクからのデータ読み出しとデータの時間軸伸長との処理速度の差は、１．５×１．４Ｍｂｉｔ／秒−０．３Ｍｂｉｔ／秒＝１．８Ｍｂｉｔ／秒となる。このとき、１６Ｍｂｉｔのショック・プルーフ・メモリはディスク読み出し開始時より約９秒でメモリは容量一杯になる。また、前記信号処理手段の時間軸伸長速度は０．３Ｍｂｉｔ／秒なので、約５４秒間ディスクからの読み出しがなくても再生することが可能である。
【０００８】
前記ショック・プルーフ・メモリに容量一杯のデータが格納された場合、その後、所定時間、つまり、該メモリに所定のサイズの空き部分ができるまで、前記ディスクから読み出されたデータは該メモリには格納されず、該メモリからのデータの伸長及び再生のみが行われる。その後、前記ショック・プルーフ・メモリに所定サイズの空き領域ができるので、この空き領域に、再度、前記ディスクより読み出されたデータを順次格納していき、データがメモリ容量一杯になったところで、前記メモリからのデータ伸長及び再生のみを行う。これを繰り返すことでＭＤ再生装置はディスクを再生することができる。
【０００９】
一方、持ち運びの容易な携帯用のＭＤ再生装置は、そのＭＤ再生装置の電源として充電池や乾電池が採用されている。この場合、電池交換せずに連続使用する時間が充電池又は乾電池の電気容量又はＭＤ再生装置の消費電力によって決定される。電池交換をおこなわずに長時間連続再生するには、前記充電池や乾電池の容量を大きくするか、前記ＭＤ再生装置の消費電力を減らせばよい。前記ＭＤ再生装置では可能な限り消費電力を抑えるために、前記ショック・プルーフ・メモリの容量が一杯になった後、ディスクからのデータの読み出しやピックアップやモータ等の動作を停止し、該メモリ内に格納されたデータが所定容量になるまで該メモリから圧縮されたデータの時間軸伸長を行い、ディスクからのデータの殻読み出しによる電力の浪費を削減する操作が行われている。
【００１０】
以上は、ＭＤ再生装置を例に挙げて説明したが、コンパクトディスク（ＣＤ）再生装置等の記録媒体再生装置に広く用いられている技術である。
【特許文献１】
特開平６−１０３６９９号公報
【００１１】
【発明が解決しようとする課題】
しかしながら、１枚のディスクのみを装置に装着し、再生する携帯用ＭＤ再生装置では、現在再生しているディスクからの音声／音楽データの読み出しが終了した後、メモリに格納したデータの時間軸伸長が終了すると、再生音が出なくなり、再生を終了する。そのとき引き続きディスクの再生を行う場合、使用者は装置からディスクを取り出し新たなディスクを装着する。すると、前記ＭＤ再生装置は、まず、ディスクのばらつき等を吸収するためにスピンドルモータ、サーボ等の自動調整を行い、新たなディスクのディスク・タイトルやトラック・タイトルなどを含むＵ−ＴＯＣ情報等の情報の読み出しを行う。更にメイン情報である音声／音楽データを読み出し、時間軸伸長をおこなう。そのためトータルとして新しいディスクを装着してから再生音がなるまでに、数秒から数十秒の間再生音が途切れる。
【００１２】
また、再生中のディスクを最後まで再生されていない状態で、ディスクを取り替える場合に、ディスクを取り出した後すぐに再生音が途切れる。
【００１３】
そこで本発明は、使用者が再生中の記録媒体を新たな別の記録媒体に取り替えるときに無再生状態が発生しないようにする記録媒体再生装置を提供することを目的とする。
【００１４】
【課題を解決するための手段】
上記目的を達成するために本発明は、記録媒体に圧縮されて記録されているコンテンツ情報及びＴＯＣ情報を読み出す読み取り手段と、前記読み取り手段にて読み出された再生予定の前記コンテンツ情報を格納するためのメモリ手段と、前記ＴＯＣ情報より再生予定のコンテンツ情報の再生終了までの時間を検出する再生終了検出手段と、前記再生終了検出手段にて検出された再生終了までの時間を表示する残時間表示手段と、前記メモリ手段に格納された前記コンテンツ情報を伸長する信号処理手段と、前記記録媒体の交換を検出するための記録媒体交換検出手段と、制御手段とを有する記録媒体再生装置であって、前記コンテンツ情報のうち再生予定の情報を前記メモリ手段に格納し終えると、前記記録媒体の交換に備え読み取り手段を停止させ、記録媒体の交換を行っている最中も前記信号処理手段により前記メモリ手段に格納されているコンテンツ情報を伸長し再生を継続し、該メモリ手段のコンテンツ情報の再生が終了する前に、新たな記録媒体が装着されたとき、引き続き該記録媒体から再生に必要な情報を前記メモリ手段に格納し再生を行うものである。
【００１５】
この構成によると、記録媒体交換検出手段にて、使用者が記録媒体の交換をおこなっている最中でも前記メモリ手段に格納されているコンテンツ情報を消去せず、前記信号処理手段にてコンテンツ情報の再生を継続することができる。また、前記メモリ手段に格納されたコンテンツ情報の再生が終了しないうちに新たな記録媒体が装着された場合、前記メモリ手段のメイン情報の再生が終了した後に、使用者が新たに装着された記録媒体の再生開始操作を行うことなく、引き続き、新しい記録媒体の再生を行うことができる。
【００１６】
また、前記記録媒体のＴＯＣ情報より再生終了までの時間を再生終了検出手段にて検出し、前記再生終了時までの再生時間を表示する残時間表示手段にて、残り再生時間を表示することで使用者に知らせることができる。
【００１７】
さらに、前記記録媒体のコンテンツ情報のうち再生予定の情報を前記メモリ手段に格納しおわると、記録媒体の交換に備えて前記読み取り手段を停止させ、記録媒体も停止させることで、使用者が記録媒体を取り出すときに、記録媒体と読み取り手段との接触等による記録媒体に傷をつける等の不具合を防ぐことができる。
【００１８】
また本発明は、上記構成において記録媒体のコンテンツ情報のうち再生予定の情報を前記メモリ手段に格納し終えると、該メモリ手段に格納し終えたことを知らせるための警告手段を備えている。
【００１９】
また、前記警告手段として、光及び（又は）音を用いて使用者に記録媒体の再生終了を教えるものを例示できる。
【００２０】
この構成によると、前記再生終了時までの再生時間の残りが所定の時間以下になったときに、例えば、ＬＥＤ等を点滅させたり、ヘッドホンよりＢＥＥＰ音等を出力したりして、前記メモリ手段のコンテンツ情報の再生が終了することを警告することができ、使用者に記録媒体の交換を促すことが可能である。また、使用者の操作にて警告手段を停止させることが可能であるものとしてもよい。
【００２１】
また本発明は、上記構成において記録媒体のコンテンツ情報のうち再生予定の情報を前記メモリ手段に格納し終えた後、新たな記録媒体の再生に備えて、前記読み取り手段を初期状態に戻すものを備えている。
【００２２】
この構成によると、前記記録媒体のコンテンツ情報のうち再生予定の情報を前記メモリ手段に格納し終えると、読み取り手段（例えばピックアップ）を記録媒体のＴＯＣ情報が書かれているエリア近辺に戻すことで、記録媒体が交換された後に記録媒体のばらつき等を吸収するために、読み取り手段の駆動部を自動調整し、その後、新たな記録媒体のトラック・タイトル等を含むＴＯＣ情報等の情報を読み出すことより迅速に行うことが可能である。
【００２３】
また本発明は、上記構成の前記制御手段は、前記記録媒体に記録されているコンテンツ情報のうち再生予定の情報の前記メモリ手段への格納が終了していない状態で該記録媒体を交換するとき、予め設定された再生時間又は前記メモリ手段に残っている前記コンテンツ情報の残再生時間のうちいずれか短い方の再生が終了した後に、新たに装着された記録媒体の再生を行う。
【００２４】
この構成によると、前記記録媒体中のコンテンツ情報のうち再生予定の情報を前記メモリ手段に格納し終える前に、つまり、再生予定の情報を全て再生する前に、使用者によって記録媒体を取り出され、前記メモリ手段に格納されているコンテンツ情報の再生が終了する前に、再生装置に新たな記録媒体が装着されたときは、使用者が再生操作を行わなくても、予め設定された時間（例えば１５秒）と該メモリ手段に格納されたコンテンツ情報の残り再生時間のうち短いほうのいずれかの時間だけ再生した後に、その後新たに装着された記録媒体の再生を行う。それゆえ、使用者が再生していた記録媒体を交換したときでも、記録媒体の交換時に、途切れることなく再生し続けることが可能である。
【００２５】
また本発明は、前記記録媒体に記録されているコンテンツ情報のうち再生予定の情報の前記メモリ手段への格納が終了していない状態で該記録媒体が取り出され、その後、新たに記録媒体が装着されていないときに、前記メモリ手段に格納されたコンテンツ情報の残量分を再生し終えた場合、動作を終了するものを採用してもよい。
【００２６】
この構成によると、記録媒体が取り出されてすぐに再生が終了せずに、所定の長さの再生時間の再生を行った後に、再生装置が停止する。
このとき、可能であれば再生途中のトラックを最後まで再生した後、再生装置が停止するようにしてもよい。
【００２７】
【発明の実施の形態】
以下に本発明の実施形態を図面を参照して説明する。図１は本発明に係る記録媒体再生装置の１例である携帯用ミニディスク再生装置の概略構成を示すブロック図である。
図１の携帯用ミニディスク再生装置Ａ（以下ＭＤ再生装置Ａという）は、ミニディスクＤｉｓｋ（以下、単にディスクＤｉｓｋと呼ぶ）に記録された、コンテンツ情報である音声／音楽データを伸長し、再生するものである。
【００２８】
ディスクＤｉｓｋは、同心円上に配置された、又は、らせん状のトラックを有しており、音声／音楽データ等の情報信号は、トラックに沿ってデジタルデータとして時間軸圧縮され記録されている。音声／音楽データ等のコンテンツ情報以外に、ディスク・タイトル名や、各トラック・タイトル名及び音声／音楽データが格納されているアドレス情報等を含んだＴＯＣ情報（ＭＤの場合はＵ−ＴＯＣ情報）も記録されている。
【００２９】
図１に示すＭＤ再生装置Ａは、ディスクＤｉｓｋを回転させるためのスピンドルモータ１と、ディスクＤｉｓｋに記録されている音声／音楽データ及び（又は）Ｕ−ＴＯＣ情報等の情報信号を読み出す読み取り手段としての読取装置２とを有している。また、読取装置２にて読み取った情報信号を増幅するＲＦアンプ３と、ＲＦアンプ３にて増幅された情報信号を伸長等する信号処理手段としてデコーダＬＳＩ４と、上述のデコーダＬＳＩ４を制御する制御装置としてのシステムコントロール用のマイクロコンピュータ５（以下、システム・コントローラ５と呼ぶ）と、各装置に電力を供給する電源装置６と、ＲＦアンプ３にて増幅された情報信号を一時格納するためのメモリ手段としてショック・プルーフ・メモリ７と、デコーダＬＳＩ４からの信号を増幅するアンプ回路８と、ディスク１の再生時間又は残再生時間等を表示する、残時間表示手段としてディスプレイ９とを有している。
【００３０】
スピンドルモータ１は、ディスクＤｉｓｋと連結され、ディスクＤｉｓｋにスピンドルモータ１の動力を伝達するためのスピンドル１１を有している。スピンドルモータ１によるディスクＤｉｓｋの回転方法は、ディスクＤｉｓｋを所定の角速度で回転させるものや、後述の読取装置２のピックアップ２１とディスクＤｉｓｋとの相対線速度が一定になるように回転させるものを採用することが可能である。
【００３１】
また、読取装置２は、ピックアップ２１とピックアップ２１を動かすための送りモータ２２を有している。ピックアップ２１にはレーザ光発射装置２１１とレーザ光発射装置から発射され、ディスクＤｉｓｋのトラックにて反射されたレーザ光を受光するレンズを備えている。ピックアップ２１は、レーザ光をディスクＤｉｓｋのトラックに正確に当てるため及びピックアップ２１を前記トラックにあわせて移動させるための送りモータ２２が連接されている。スピンドルモータ１と送りモータ２２はドライバ回路Ｄｖにて駆動制御されており、ドライバ回路Ｄｖはピックアップ２１の動作も同時に制御している。
【００３２】
ＲＦアンプ３はピックアップ２１にて読み取られた情報信号を増幅してデコーダＬＳＩ４に出力すると共に、前記情報信号に基づいてフォーカスエラー信号及びトラキングサーボ信号等といったサーボ制御用の信号を生成しデコーダＬＳＩ４の後述するサーボ回路４１に送出する。
【００３３】
図２にデコーダＬＳＩ及びシステム・コントローラの概略ブロック図を示す。デコーダＬＳＩ４は、サーボ回路４１と、音声伸長回路４２と、デコーダ／信号処理回路４３と、メモリ・コントローラ４４と、Ｄ／Ａコンバータ４５とを有している。
サーボ回路４１は、ＲＦアンプ３から送り出されてきたサーボ制御用の信号や、後述のデコーダ／信号処理回路４３からのアドレス信号及びシステム・コントローラ５からのコントロール信号に従って、ドライバ回路Ｄｖを制御することで、フォーカシング、トラッキング及びディスク回転といった、ディスクＤｉｓｋの駆動系及び読み取り系の各種動作のサーボ制御を行っている。
また、デコーダ／信号処理回路４３は、ＲＦアンプ３にて増幅された前記情報信号に対してアドレス信号の抽出、コンテンツ信号の復調、また、信号の誤り訂正等の処理を行う。そして、処理のすんだ前記情報信号をメモリ・コントローラ４４に送出する。そして、メモリ・コントローラ４４はショック・プルーフ・メモリ７に対する情報の書き込み及びショック・プルーフ・メモリ７からの情報の読み出しを制御するものであり、デコーダ／信号処理回路４３からの情報信号は、一時、ショック・プルーフ・メモリ７に格納される。
【００３４】
音声伸長回路４２は、ショック・プルーフ・メモリ７より読み出されたデータは時間軸圧縮されたままなので、時間軸圧縮された前記情報信号を所定のフォーマットに従って伸長することで圧縮を解き、圧縮を解かれた情報信号を後述のＤ／Ａコンバータ４５に送出する。Ｄ／Ａコンバータ４５は圧縮を解かれた情報信号はデジタル信号であるので、アナログの信号へと変換してやり、音声／音楽データを作成した後、該音声／音楽データを後段のアンプ回路８へと送出する。
【００３５】
アンプ回路８にて音声／音楽データの音量等を調節し、使用者に対して出力装置Ｓｐ（ここではヘッドホンＳｐ）を通じて音声／音楽データの再生出力を行う。
【００３６】
さらに、システム・コントローラ５には、ディスク連続再生スイッチ５１と、蓋ＣＬＯＳＥスイッチ５２が接続されている。そして、コントローラ５はディスク連続再生スイッチ５１及び蓋ＣＬＯＳＥスイッチ５２の状態を常に監視している。
ディスク連続再生スイッチ５１と蓋ＣＬＯＳＥスイッチ５２は、図１に示すようにここでは常時開接点であり、スイッチがＯＮのときだけ通電するものであるがこれに限定されるものではなく、システム・コントローラ５にてスイッチのＯＮ又はＯＦＦの状態が確認できるものを広く採用することができる。。
【００３７】
また、ＭＤ再生装置Ａ全体に電力を供給するための電源装置６は電源６１と、電源６１の電圧を常にチェックする電源電圧検出回路６２と各ＭＤ再生装置Ａの各部に該各部の駆動に必要な電力を供給するための電源回路６３とを有している。電源装置６はシステム・コントローラ５にて電源電圧検出回路６２から電源６１の電圧値がディスクＤｉｓｋの一連の再生動作（スピンドルモータ１、送りモータ２１の駆動及びＲＦアンプ３、ＬＳＩ４等の動作）に適しているか否か等の確認を行ってから、電源回路６３に電力を供給する。電源回路６３は、ＭＤ再生装置Ａの各部の駆動に必要な電力を供給するものである。なお、電源６１としては、例えば、アルカリ乾電池、リチウムイオン充電池、Ｎｉ−ＭＨ充電池等の携帯できＭＤ再生装置Ａを駆動するだけの電力を備えるものを広く採用することができる。その中でもリチウムイオン充電池、Ｎｉ−ＭＨ充電池は長寿命でありより好ましい。
【００３８】
ショック・プルーフ・メモリ７は、ＲＦアンプ３にて増幅された情報信号をデコーダＬＳＩ４にて復調したものを一時的に格納するものであり、ショック・プルーフ・メモリ７への書き込み速度とショック・プルーフ・メモリ７からの読み出し速度の差によって、ディスクＤｉｓｋに記録されているコンテンツ情報を再生しながら、ショック・プルーフ・メモリ７に格納し蓄積する。ショック・プルーフ・メモリ７としては、書き換え可能であるものを広く採用することができるが、ここでは１６ＭｂｉｔのＤ−ＲＡＭを採用している。ショック・プルーフ・メモリ７には、ディスクＤｉｓｋより読み出されたＵ−ＴＯＣ情報（ディスク・タイトル、トラック・タイトル等）の格納も行われる。例えば、ディスクに記録されている各曲のスタートアドレス、エンドアドレス或いは時間情報等も格納される。
【００３９】
本発明におけるショック・プルーフ・メモリの動作について説明する。ショック・プルーフ・メモリ７は、ＭＤ再生装置ＡでディスクＤｉｓｋを再生中に何らかの外的要因等にてピックアップ２１がディスクＤｉｓｋのトラックから外れたとき誤ったトラックを再生したり無音状態になったりしないように再生音データを一時メモリにバッファするためのものである。ショック・プルーフ・メモリ７としてここでは１６ＭｂｉｔのＤ−ＲＡＭを採用しているがそれに限定されるものではなく、容量速度等あらゆるものを採用することができる。ショック・プルーフ・メモリ７への書き込み速度は、ピックアップ２１がディスクから情報信号を読み取る速度でありディスクの回転速度が１．５倍速であるので、１．５×１．４Ｍｂｉｔ／秒、つまり、２．１Ｍｂｉｔ／秒となる。また、ショック・プルーフ・メモリ７からのデータ読み出しは、後述の音声伸長回路４２の音声データを伸長する速度、すなわち、０．３Ｍｂｉｔ／秒と同期して行われる。つまり、ショック・プルーフ・メモリ７への書き込みとショック・プルーフ・メモリ７からの読み出しには、２．１Ｍｂｉｔ／秒から０．３Ｍｂｉｔ／秒を引いた、つまり、１．８Ｍｂｉｔ／秒の差異がある。この差異の分ずつショック・プルーフ・メモリ７には時間軸伸長前の前記情報信号が蓄積されていく。
【００４０】
以上説明した本発明に係る記録媒体再生装置の１例であるＭＤ再生装置の動作を図３を参照して説明する。
図３はＭＤ再生装置の動作を示すフロー図である。
ディスクＤｉｓｋを再生するにあたりＭＤ再生装置Ａは、まず、蓋ＣＬＯＳＥスイッチ５２がＯＮであるか否かを検出する。すなわち、スイッチ５２に通電されているか否かを検出する（ステップＳ１）。ここで、蓋ＣＬＯＳＥスイッチがＯＦＦ（蓋が開いている）の場合、すなわち、ステップＳ１でＮＯの場合には、ステップＴ１へ進む。ここでは蓋が開かれているので再生操作を行わずに、ＭＤ再生装置Ａの機能を停止する。
【００４１】
また、蓋ＣＬＯＳＥスイッチ５２がＯＮ（蓋が閉まっている）の場合、すなわち、ステップＳ１でＹＥＳの場合はディスクＤｉｓｋとＭＤ再生装置Ａとの調整を行う（ステップＳ２）。つまり、ピックアップ２１をディスクＤｉｓｋに対して正しくトラッキング及びフォーカシングを行う。その後、ディスクＤｉｓｋのＵ−ＴＯＣ情報を読み込んで、再生に必要な情報を得る（ステップＳ３）。ステップＳ３にて読み込んだＵ−ＴＯＣ情報を基にして、ディスクＤｉｓｋに記録されている音声／音楽データを、ショック・プルーフ・メモリ７に格納していきながら、ＬＳＩ４に搭載された音声伸長回路４２にて音声／音楽データの時間軸伸長を行い、その後、Ｄ／Ａコンバータ４５、アンプ回路８を介して、ヘッドホンに出力する（ステップＳ４）。
【００４２】
そして、ディスクＤｉｓｋに記録された音声／音楽データのうち再生予定のデータを全て読み出し、ショック・プルーフ・メモリ７に格納し終えたかどうか確認する（ステップＳ５）。再生予定のデータが全て読み出されてショック・プルーフ・メモリ７に格納されてない場合、すなわち、ステップＳ５でＮＯの場合、蓋ＣＬＯＳＥスイッチ５２がＯＮされているかどうか検出する（ステップＴ５）。蓋ＣＬＯＳＥスイッチ５２がＯＮ（蓋が閉まっている）の場合、すなわち、ステップＴ５でＹＥＳの場合、ステップＳ４の前に戻りディスクＤｉｓｋの再生を続行する。また、蓋が開いている、すなわち、ステップＴ５でＮＯの場合、再生動作を終了する。
【００４３】
また、ステップＳ５にてＹＥＳ、すなわち、ディスクＤｉｓｋから音声／音楽データのうち再生予定のデータの全てを読み取りショック・プルーフ・メモリ７に格納し終えた場合、ディスク連続再生スイッチ５１がＯＮかどうか検出（ディス連続再生スイッチ５１に通電されているか否か検出）する（ステップＳ６）。ステップＳ６にてＹＥＳ、すなわち、ディスク連続再生スイッチ５１がＯＮの場合、再生音のなかに警告音を出力すると共に、ディスプレイに警告表示を行う（ステップＳ７）その後、スピンドルモータ１を停止すると共に送りモータ２２を動作させてピックアップ２１をディスクＤｉｓｋの最内周付近に移動させる（ステップＳ８）。Ｕ−ＴＯＣ情報等の再生に必要なデータはディスクの最内周部に記録されており、ピックアップ２１をディスクＤｉｓｋの最内周部に配置することで新たなディスクが装着されたときに素早くＵ−ＴＯＣ情報を読み取れる状態にしておくことができる。
【００４４】
ステップＳ８終了後又はステップＳ６にてＮＯ、すなわち、ディスク連続再生スイッチ５１がＯＦＦの場合、ショック・プルーフ・メモリ７内の音声／音楽データを引き続き伸長し再生する（ステップＳ９）。その後、蓋ＣＬＯＳＥスイッチ５２がＯＮかどうか検出する（ステップＳ１０）。蓋ＣＬＯＳＥスイッチ５２がＯＮ（蓋がしまっている）、すなわち、ステップＳ１０にてＹＥＳの場合、ショック・プルーフ・メモリ７内に格納した音声／音楽データを伸長し再生し終えたかどうか判断する（ステップＴ１０）。ショック・プルーフ・メモリ７内の音声／音楽データを伸長し再生し終えた（ステップＴ１０においてＹＥＳ）場合、ＭＤ再生装置Ａの機能を停止する。また、伸長、再生を終えてない（ステップＴ１０にてＮＯ）場合、ステップＳ９の前に戻り引き続きショック・プルーフ・メモリ７内の音声／音楽データを伸長し、再生を継続する。
【００４５】
また、ステップＳ１０にてＮＯ、すなわち、蓋ＣＬＯＳＥスイッチ５２がＯＦＦ（蓋が開かれている）の場合、再度、ディスク連続再生スイッチ５１がＯＮかどうかを検出し（ステップＳ１１）、ディスク連続再生スイッチ５１がＯＦＦ（ステップＳ１１にてＮＯ）の場合、メモリ内に格納されているＵ−ＴＯＣ等のデータ全てをクリア（ステップＴ１１）し、その後、ＭＤ再生装置Ａの機能を停止する。ステップＴ１１でＹＥＳ、すなわち、ディスク連続再生スイッチ５１がＯＮであるとき、現在再生されている曲のＵ−ＴＯＣ情報のうち必要なデータ（例えばトラック・タイトル等）をメモリ内に保持する（ステップＳ１２）。そして、ショック・プルーフ・メモリ７に格納されている再生中の音声／音楽データを引き続き伸長し、再生する（ステップＳ１３）。
【００４６】
音声／音楽データ再生中に蓋ＣＬＯＳＥスイッチ５２がＯＮかどうか検出する（ステップＳ１４）。蓋ＣＬＯＳＥスイッチ５２がＯＦＦ（ステップＳ１４にてＮＯ）の場合、ショック・プルーフ・メモリ７内に格納されている音声／音楽データを全て伸長、再生し終えたか判定する（ステップＴ１４）。ショック・プルーフ・メモリ７に格納されている音声／音楽データを全て再生したと判定した（ステップＴ１４にてＹＥＳ）ときは、ＭＤ再生装置Ａの機能を停止する。ショック・プルーフ・メモリ７に音声／音楽データが残っているとき（ステップＴ１４にてＮＯ）はステップＳ１３に戻って、引き続き、該ショック・プルーフ・メモリ７からの音声／音楽データの伸長、再生を行う。また、ステップＳ１４にてＹＥＳ（蓋ＣＬＯＳＥスイッチ５２がＯＮ）の場合、蓋が一度開かれ（ステップＳ１５にてＹＥＳなので）再度閉じられたということであり、その後、新たなディスクがＭＤ再生装置Ａ内に装着されているかどうか検出し（ステップＳ１５）、新たなディスクの装着が検出されなかった（ステップＳ１５でＮＯ）場合は、連続再生することができないので、ディスプレイ９にて「Ｎｏ  Ｄｉｓｋ」の表示を行い、装置の機能を停止する。ここで、上述の新たなディスクとは、ＭＤ再生装置Ａに装着され、今まさに再生していたディスクが再度装着されたものも含まれる。
【００４７】
新たなディスクの装着を検出した（ステップＳ１５でＹＥＳ）場合、ショック・プルーフ・メモリ７内のＵ−ＴＯＣ情報等を消去し、新たなディスクとＭＤ再生装置Ａとの調整を行う（ステップＳ１６）。つまり、ピックアップ２１をディスクＤｉｓｋに対して正しくトラッキング及びフォーカシングを行う。その後、ディスクＤｉｓｋのＵ−ＴＯＣ情報を読み込んで、再生に必要な情報を得る（ステップＳ１７）。そして、ショック・プルーフ・メモリ７に所定容量以上の空きスペースがあるかどうか確認（ステップＳ１８）し、ショック・プルーフ・メモリ７に所定容量以上の空きスペースがある（ステップＳ１８にてＹＥＳ）場合、得られたＵ−ＴＯＣ情報をもとに再生予定の音声／音楽データをショック・プルーフ・メモリ７に格納していく（ステップＳ１９）。ショック・プルーフ・メモリ７内に現在再生中の音声／音楽データ（換言すると、取り替える前のディスクのデータ）が残っているかどうか確認する（ステップＳ２０）。現在再生中の音声／音楽データが残っている（ステップＳ２０でＮＯ）場合、引き続きショック・プルーフ・メモリ７に格納されている音声／音楽データの再生を行い（ステップＴ２０）、ステップＳ１８の前段に戻る。現在再生中の音声／音楽データをすべて再生したときは、新たなディスクの音声／音楽データの再生を開始する（ステップＳ２１）。その後、ステップＳ４の前段に戻る。
以後、上述のステップを繰り返す。
【００４８】
次に、本発明に係る記録媒体再生装置としてＭＤ再生装置を用いた場合の再生方法の他の例についてフロー図を用いて説明する。図４にて動作を示すＭＤ再生装置は図１で示すＭＤ再生装置と同一のものである。
【００４９】
まず、ディスクＤｉｓｋのＵ−ＴＯＣ情報を読み込み、ディスクＤｉｓｋからピックアップにて読み取った時間軸圧縮のかかった音声／音楽データをショック・プルーフ・メモリ７に一時格納し（ステップＳｔ１）、その後、時間軸伸長し、アンプにて増幅して再生する（ステップＳｔ２）。その間に蓋ＣＬＯＳＥスイッチ５２がＯＮかどうか検出する（ステップＳｔ３）。蓋ＣＬＯＳＥスイッチ５２がＯＮ（ステップＳｔ３でＹＥＳ）の場合、ステップＳｔ２に戻ってディスクの再生が引き続き継続される。蓋ＣＬＯＳＥスイッチ５２がＯＦＦ（ステップＳｔ３でＮＯ）の場合、ディスクＤｉｓｋ内の再生予定の音声／音楽データを全て読み出し、ショック・プルーフ・メモリ７内に格納し終わっているか確認する（ステップＳｔ４）。音声／音楽データが全てショック・プルーフ・メモリ７に格納し終わっている場合、新たなディスクが装着されたかどうか検出する（ステップＳｔ５）。新たなディスクが装着されている（ステップＳｔ５でＹＥＳ）の場合、ショック・プルーフ・メモリ７に格納されている音声／音楽データの再生が終了した後に、新たなディスクのＵ−ＴＯＣ情報及び音声／音楽データの読み込み及びショック・プルーフ・メモリ７への格納し（ステップＲｔ５）、ステップＳｔ２に戻って再生を開始する。
【００５０】
新たなディスクが装着されていない（ステップＳｔ５でＮＯ）の場合、再生途中終了時の再生時間設定がされているかどうか検出する（ステップＳｔ６）。再生時間の設定がされていないとき（ステップＳｔ６でＮＯ）の場合、ステップＴｔ６に進み、ショック・プルーフ・メモリ７内の音声／音楽データを全て再生し、終了する。途中終了時の再生時間設定がされている（ステップＳｔ６でＹＥＳ）の場合、設定時間とショック・プルーフ・メモリ７内に格納されている音声／音楽データの残り再生時間の大きさを比べる（ステップＳｔ７）。設定された時間（例えば１５秒間）が残りデータの再生時間より長い（ステップＳｔ７にてＹＥＳ）場合、ステップＴ６に進み、ショック・プルーフ・メモリ７に格納されている残りの音声／音楽データを全て再生した後、終了する。設定された時間が残り再生時間より短い（ステップＳｔ７にてＮＯ）場合は、設定時間（１５秒間）再生（ステップＳｔ８）したのち終了する。
【００５１】
上記各実施例において、音声／音楽データの再生を終了するときには、徐々に音量を絞る、いわゆるフェードアウトするものを採用することが可能である。
【００５２】
上記の実施例は、携帯用のＭＤ再生装置を例にとって説明を行ったが、本発明はＭＤ再生装置に限定されるものではなく、記録媒体から読み出した情報信号をメモリに格納しながら、前記メモリに対する書き込み速度より遅い速度で前記メモリから前記情報を読み出すことで、前記メモリに前記情報信号を蓄積しつつ、前記記録媒体の再生を行う記録媒体再生装置に広く採用することが可能である。
【００５３】
【発明の効果】
本発明によると、使用者が再生中の記録媒体を新たな別の記録媒体に取り替えるときに無再生状態が発生しないようにする記録媒体再生装置を提供することができる。
【図面の簡単な説明】
【図１】本発明に係る記録媒体再生装置の一例であるＭＤ再生装置の概略ブロック図である。
【図２】図１に示すＭＤ再生装置のデコーダＬＳＩ及びシステム・コントローラの接続を示すブロック図である。
【図３】図１に示すＭＤ再生装置の動作の一例の流れを示すフロー図である。
【図４】図１に示すＭＤ再生装置の動作の他の例の流れを示すフロー図である。
【符号の説明】
１  スピンドルモータ
１１  スピンドル
２  読取装置
２１  ピックアップ
２２  送りモータ
３  ＲＦアンプ
４  デコーダＬＳＩ
４１  サーボ回路
４２  音声伸長回路
４３  デコーダ／信号処理回路
４４  メモリ・コントローラ
４５  Ｄ／Ａコンバータ
５  システム・コントローラ
５１  ディスク連続再生スイッチ
５２  蓋ＣＬＯＳＥスイッチ
６  電源装置
６１  電源
６２  電源電圧検出回路
６３  電源回路
７  ショック・プルーフ・メモリ
８  アンプ回路
９  ディスプレイ
Ｄｖ  ドライバ回路
Ｓｐ  ヘッドホン
【図１】
2004259310.tif 000003
【図２】
2004259310.tif 000004
【図３】
2004259310.tif 000005
【図４】
2004259310.tif 000006